(57)【特許請求の範囲】
【請求項１】
ネットワーク化されたシステム内に装置を組み込む方法であって、
前記ネットワーク化されたシステム内に組み込まれるべき新しい装置を検出するステップと、
前記新しい装置の機能と類似の機能を備えている装置を、前記ネットワーク化されたシステムの基準装置として決定するステップと、
前記基準装置の機能を前記新しい装置に複製するステップと、
を有する、方法。
【請求項２】
前記ネットワーク化されたシステム内に組み込まれるべき新しい装置を検出する前記ステップは、前記新しい装置の機能を決定するステップを有している、
請求項１に記載の方法。
【請求項３】
前記ネットワーク化されたシステムの基準装置を決定する前記ステップは、前記ネットワーク化されたシステム内の、前記ネットワーク化されたシステムから接続を外された装置を決定するステップを有すると共に、接続を外された前記装置の機能を決定するステップを更に有する、請求項１又は２に記載の方法。
【請求項４】
前記接続を外された装置の機能を決定する前記ステップは、接続を外された装置の機能に関する記憶装置から、前記接続を外された装置の機能を検索するステップを有している、請求項３に記載の方法。
【請求項５】
接続を外された装置の機能に関する記憶装置から、接続を外された前記装置の機能を検索する前記ステップは、記憶されている前記接続を外された装置のうち前記新しい装置の機能と類似の機能を備える装置を、前記ネットワーク化されたシステムの基準装置として決定するステップを有する、請求項４に記載の方法。
【請求項６】
プロセッサが請求項１乃至５の何れか一項に記載の方法を実行するコンピュータプログラム。
【請求項７】
請求項６に記載のコンピュータプログラムを記憶している記録担体。
【請求項８】
請求項１乃至５の何れか一項に記載の方法を実施するようにプログラムされていると共に、前記ネットワーク化されたシステムのコントローラとして構成されているコンピュータ。
【請求項９】
ネットワーク化されたシステム内に装置を組み込むためのネットワーク化されたシステムのコントローラであって、
前記ネットワーク化されたシステム内に組み込まれるべき新しい装置を検出し、
前記新しい装置の機能と類似の機能を備えている装置を、前記ネットワーク化されたシステムの基準装置として決定し、
前記基準装置の機能を前記新しい装置に複製する、
コントローラ。
【請求項１０】
請求項１乃至５の何れか一項に記載の方法を更に実施する、請求項９に記載のコントローラ。
【請求項１１】
ネットワーク化されたシステムのためのリモコンとして実施化されていると共に、前記ネットワーク化されたシステムの装置をワイヤレス制御するワイヤレス通信ユニットを有する、請求項９又は１０に記載のコントローラ。
【発明の詳細な説明】
【技術分野】
【０００１】
本発明は、ネットワーク化された照明システムのようなネットワーク化されたシステム内に、ランプのような装置を、ユーザが当該新しい装置又はランプをそれぞれ設定する又はコンフィギュレーションする必要がないように、自動的に組み込むことに関する。
【背景技術】
【０００２】
現在、ほとんどの照明環境において、別個の光ユニットが、光スイッチへの容易な１対１の接続を有しており、利用されている。これらの環境は、例えば、リモコン制御ユニットによる、快適で集中化された制御と、照明雰囲気の容易なレンダリングとを可能にしていない。しかしながら、予測可能な将来において、このことは、ネットワーク化された照明システムがますます広範囲にわたるようになり、省エネルギー、照明雰囲気レンダリング及びワイヤレスリモコン等のためのより良好な解決策を可能にするので、変化するであろう。照明システムは、別個の光ユニットよりも強力であるが、例えば、ランプの設定及びコンフィギュレーションに関して、より複雑でもある。家庭における使用のための複合照明ユニットの例は、本出願人のＬｉｖｉｎｇＣｏｌｏｒｓ（登録商標）ランプである。このＬｉｖｉｎｇＣｏｌｏｒｓ（登録商標）ランプは、ユーザが、前記照明の色及び輝度を快適に設定する、特に、或る範囲の色から好ましい色を選択するのを可能にする無線リモコンを有している。当該ユーザは、幾つかのＬｉｖｉｎｇＣｏｌｏｒｓ（登録商標）を動作させることもでき、家庭における照明システムを形成し、１つのリモコンによって幾つかのランプを制御することもできる。
【発明の概要】
【発明が解決しようとする課題】
【０００３】
国際公開第２００８／０６８６９３Ａ１号は、照明制御システムのようなネットワーク（特に、ワイヤレスネットワーク）内の装置の交換に関している。装置の最新の交換のために、前記装置の、実際の機能を規定している、動作データは、記憶装置手段に記憶されている。当該装置の物理的な交換の後、記憶されている前記データは、新しい装置にダウンロードされる。従って、前記ネットワークの既存の装置の迅速且つ容易な交換は、可能である。
【０００４】
本発明の目的は、特に、如何なるユーザ対話も必要とせずに、又はメインに前記新しい装置を接続し、オンに切り替えるような、最小限のユーザ対話のみを必要として、ネットワーク化されたシステム内への新しい装置の容易な組み込みを可能にする方法及びコントローラを提供することにある。
【課題を解決するための手段】
【０００５】
この目的は、添付の独立請求項の対象によって解決される。更なる実施例は、添付の従属請求項によって示される。
【０００６】
本発明の基本的な思想は、照明システム内に組み込まれる、ランプのような、新しい装置のための一種の自動的なコミッショニング過程を提供する。特に、本発明は、前記照明システムのランプの機能の前記照明システム内に組み込まれる新しいランプへの自動的な複製の手順を提供する。前記新しい装置は、国際公開第２００８／０６８６９３Ａ１号とは対照的に、他の装置との交換ではなく、更なる装置としてネットワーク化されたシステム内に追加される。従って、複製されたデータが、前記新しい装置に複製されるだけでなく、基準装置が決定され、前記基準装置は、例えば、前記新しい装置の機能と類似の機能を有することによって自身の振る舞いにおいて前記新しいランプに最良に整合し、前記新しい装置に機能的に複製され、この結果、前記新しい装置は、如何なるユーザ対話も必要とすることなく直ちに操作可能である。本発明は、照明システムの前記ランプのコミッショニングを非常に容易にすると共に、前記照明システム内への新しいランプの組み込みを非常に快適にするために、ネットワーク化された照明システムにおいて特に利用可能である。
【０００７】
本発明の実施例は、ネットワーク化されたシステム内に装置を自動的に組み込む方法であって、
−  前記ネットワーク化されたシステム内に組み込まれるべき新しい装置を検出するステップと、
−  前記ネットワーク化されたシステムの基準装置を決定するステップと、
−  前記基準装置の機能を前記新しい装置に複製するステップと、
の自動的に実施されるステップを有する方法を提供する。
【０００８】
当該機能は、例えば、ユーザが前記新しいランプ又は装置を設定する必要がないように、例えば、基準装置としてのランプの色及び輝度のような設定によって規定される前記基準装置の或る状態を含むことができる。更に、前記機能は、例えば、前記基準ランプ又は装置によって生成されることができる光の効果によって規定される前記基準ランプの或る振る舞いを有することができる。従って、前記新しい装置は、ユーザによって手動で調整される必要なく前記ネットワーク化されたシステム内に完全に組み込まれることができ、組み込みの直後に、既に組み込まれていた装置のように振舞うことができる。
【０００９】
本発明の更なる実施例において、
−  前記ネットワーク化されたシステム内に組み込まれるべき新しい装置を検出するステップは、前記新しい装置の機能を決定するステップを更に含むことができ、前記ネットワーク化されたシステムの基準装置を決定するステップは、前記新しい装置の機能と類似の機能を備える前記ネットワーク化されたシステム内の基準装置を決定するステップを含み得る。例えば、新しいランプがネットワーク化された照明システム内に組み込まれなければならない場合、当該方法は、前記新しいランプが、或る色の範囲内で光を生成することができることを自動的に検出することができる。次いで、当該方法は、色の範囲内で光を生成することができるネットワーク化された照明システムのランプ（例えば、前記ネットワーク化された照明システムの既存の動作されているランプ又は以前のランプ）を決定することができ、前記色の範囲は、前記新しいランプによって生成されることができる前記光の色の範囲と同一であるか、又は前記新しいランプの光の色の範囲を含んでいるかの何れかである。前記新しい装置の機能と類似の機能を備える前記ネットワーク化されたシステムの基準装置の決定は、一種の機能の整合であり、ネットワーク化された照明システムの装置としてのランプの場合、生成される光の色の範囲だけでなく、動的な光効果のように生成されることができる輝度及び光効果のような２、３の照明機能も含むことができる。
【００１０】
更に、本発明の実施例は、前記ネットワーク化されたシステムの基準装置を決定するステップが、前記ネットワーク化されたシステムから接続を外された前記ネットワーク化されたシステムの装置を決定するステップを含み得て、接続を外された前記装置の機能を決定するステップを更に有し得ることを提供する。このことは、当該交換の装置が、交換された装置として働くように調整することを必要とすることなく、前記ネットワーク化されたシステムの装置を迅速にかつ容易に置き換えることを可能にする。更に、壊れた装置は、本発明の方法のこの実施例によって容易にかつ迅速に交換されることができる。
【００１１】
本発明の更なる実施例において、前記ネットワーク化されたシステムから接続を外された前記ネットワーク化されたシステムの装置を決定するステップは、接続を外された装置の機能に関する記憶装置から、接続を外された前記装置の機能を検索するステップを含むことができる。例えば、前記ネットワーク化されたシステムは、自身の機能と共に前記記憶装置内に如何なる装置も登録することができる。更に、前記ネットワーク化されたシステムは、装置が、前記ネットワーク化されたシステムから取り除かれる場合（特に、接続を外される又は壊れた場合）前記記憶装置内に記録することができる。「接続を外される」とは、例えば、装置のネットワークから装置を取り除くような、前記システムから装置を取り除くことを意味する。記憶されている接続を外されている装置のデータは、後に当該システムに新しい装置を追加するのに使用されることができ、接続を外された装置と新しい装置との置き換えを簡単にする。装置の接続を外す順序も、記憶されることができる。従って、多くの装置が接続を外され、次いで、この後、新しい装置が追加される場合、この記憶されている又は他の特定の順序は、整合する又は類似の装置を決定するのに使用されることができる。例えば、追加されるべき第１の装置は、記憶されている取り除かれた又は接続を外された装置のうちの最も古いものに対して整合されることができる。又は、追加されるべき前記第１の装置は、最後の取り除かれた装置に対して整合されることができる。新しい装置を、接続を外された装置と整合させるための複数の戦略が、多くの装置を一度に交換する場合に、ユーザの要求を最良に満たし、本発明による方法の更に賢明な振る舞いを得るために使用されることができる。
【００１２】
本発明の他の実施例は、接続を外された装置の機能に関する記憶装置からの、接続を外された装置の機能の検索が、記憶されている前記接続を外された装置から前記新しい装置の機能に類似する機能を備える前記ネットワーク化されたシステムの基準装置を決定することを含み得ることを提供する。このことは、例えば、前記記憶装置から接続を外された装置の第１のデータセットを簡単に読み込み、前記新しい装置のためのこのデータセットの機能を使用する（結果として、前記新しい装置が自身の最大限の機能を使用しないということをもたらし得る）代わりに、記憶されている接続を外された装置において、例えば、前記新しい装置と類似の機能を有することができる装置を検索することによって達成されることができる。
【００１３】
本発明の他の実施例によれば、プロセッサが本発明による上述の方法を実行することを可能にするコンピュータプログラムが、提供されることができる。
【００１４】
本発明の更なる実施例によれば、本発明によるコンピュータプログラムを記憶している記録担体（例えば、ＣＤ―ＲＯＭ、ＤＶＤ、メモリカード、ディスケット、インターネットメモリ装置又は光学的又は電子的なアクセスのためのンピュータプログラムを記憶するのに適している類似のデータ担体）が提供されることができる。
【００１５】
本発明の更なる実施例は、ＰＣ（パーソナルコンピューター）又は組込コンピュータ又はコントローラを備える装置のような、本発明による方法を実行するようにプログラムされたコンピュータであって、ネットワーク化されたシステムのコントローラとしてコンフィギュレーションされることができるコンピュータを提供することにある。
【００１６】
本発明の他の実施例は、ネットワーク化されたシステムに装置を組み込むためのネットワーク化されたシステムのコントローラであって、前記コントローラは、
−  前記ネットワーク化されたシステム内に組み込まれるべき新しい装置を検出し、
−  前記ネットワーク化されたシステムの基準装置を決定し、
−  前記基準装置の機能を前記新しい装置に複製する。
【００１７】
本発明の一実施例によれば、前記コントローラは、更に、本発明の上述のような方法を実行することができる。
【００１８】
本発明の更なる実施例において、前記コントローラは、ネットワーク化されたシステムのためのリモコンとして実施化されることができ、前記ネットワーク化されたシステムの装置をワイヤレス制御するワイヤレス通信ユニットを有することができる。
【００１９】
本発明のこれら及び他の見地は、以下に記載される実施例を参照して、明らかになり、説明されるであろう。
【００２０】
本発明は、以下の例示的な実施例を参照して更に詳細に記載される。しかしながら、本発明は、これらの例示的な実施例に限定されるものではない。
【図面の簡単な説明】
【００２１】
【図１】照明システムのランプの機能を本発明による新しいランプに複製する方法の実施例のフローチャートを示している。
【図２】図１に示されているフローチャートのステップＳ１０の実施例を示している。
【図３】図１に示されているフローチャートのステップＳ１２の実施例を示している。
【図４】図１に示されているフローチャートのステップＳ１３の実施例を示している。
【図５】図５は、新しいランプが本発明による方法によって追加される照明システムの実施例を示している。
【発明を実施するための形態】
【００２２】
以下において、機能的に類似又は同一の要素は、同一の符号を有し得る。本発明は、ネットワーク化されたシステムの一例としてのネットワーク化された照明システムによって説明される。ここで、このネットワーク化された照明システムのランプ又は光ユニットは、装置である。しかしながら、本発明は、ネットワーク化された照明システムへの利用に限定されるものではなく、如何なる種類のネットワーク化された家庭用又はオフィス制御システム等のようなネットワーク化されたシステムにも利用されることができる。更に、以下の記述において、「ランプ」及び「光ユニット」なる語は、同じ技術的な手段を記載している同義語として使用されている。以下の記述において、「照明システム」なる語が使用されている場合、本発明との関連におけるネットワーク化されたシステムの実施例としてのネットワーク化された照明システムが意味されている。
【００２３】
近代的な照明システムは、照明の色、輝度及び光効果のような、ランプの種々のパラメータの調整及び設定を可能にする。しかしながら、照明システム内に組み込まれる新しいランプのコンフィギュレーション及び設定は、ユーザによって調整されることができる通常多数であるパラメータのために、時間がかかり、退屈なものであり得る。
【００２４】
本発明は、ここで、ユーザが、如何なる調整も必要とすることなく照明システム内に新しいランプを速く組み込むことを可能にする。前記新しいランプを組み込むための過程は、本発明によって実施され、前記ランプを組み込む本発明の方法を実施化するソフトウェアのフローチャートを示している図１を参照して、以下で説明される。
【００２５】
第１のステップＳ１０において、新しいランプは、前記照明システムによって検出される。例えば、新しいＬｉｖｉｎｇＣｏｌｏｒｓ（登録商標）ランプが、幾つかのＬｉｖｉｎｇＣｏｌｏｒｓ（登録商標）ランプから成る照明システム内に組み込まれるべきである場合、前記新しいランプは、新しい識別子を自動的に割り当てられ、ステップ１０を詳細に表している図２に示されているテップＳ１０のサブステップＳ１０１を参照されたい。前記新しい識別子のこの割当ては、一種のＭＡＣアドレスのような、前記新しいランプの固有のネットワークアドレスを含み得る前記新しいランプからのワイヤレス信号を受け取る場合、当該照明システムのワイヤレスリモコンによって実施されることができる。しかしながら、しばしば、アドレスは、装置内に固定され、工場内で設定されることに留意されたい。従って、このステップは、ランプが如何なるアドレスも有していない場合にのみ、必要とされる。ステップＳ１０（図２）の以下のサブステップＳ１０２において、前記ワイヤレスリモコンは、調整可能な範囲の色、照明輝度及び光効果等のような、新しいランプの照明機能を要求することができる。
【００２６】
第２のステップＳ１２／Ｓ１３において、当該照明システムの基準ランプが、決定される。前記基準ランプの決定は、前記新しいランプの照明機能と類似の照明機能を有する当該照明システムのランプを特定する働きをする。前記基準ランプを決定する２つの異なる方法が、本発明によって提供され、図３及び４において概説される。
【００２７】
図３に示されＳ１２によって示されている第１の方法は、サブステップを有しており、サブステップＳ１２１において、ステップＳ１０２において要求される前記新しいランプの照明機能が、前記照明システム内に既に組み込まれている前記ランプの照明機能と比較される。この比較過程は、２つの値の簡単な比較ではなく、前記新しいランプの照明機能に最も近い照明機能を備える前記ランプを検索するための更に複雑な過程である。種々の見地が、この比較過程に影響を与え得て、１つの見地は、当該システムのランプの現在の光設定と前記新しいランプの利用可能な光設定とである。他の見地は、当該システムのランプによって生成される光効果と、前記新しいランプによる光効果を生成する機能とである。更なる見地は、例えば、前記照明システムのランプの電力消費であっても良い。後続するサブステップＳ１２２において、類似の照明機能を備えている照明システムの１つのランプは、ステップＳ１２１の比較過程の結果に基づいて前記新しいランプのための基準ランプとして決定される。簡単に要約すると、新しいランプは、例えば、前記新しいランプと照明機能において最も類似性を有している前記新しいランプの照明機能に最良に整合する前記照明システムの既存のランプのように振舞うように、コンフィギュレーションされる。例えば、前記新しいランプがオレンジ光を与えることができ、前記照明システムの１つのランプが、オレンジ光を生成するようにコンフィギュレーションされる場合、後者のランプは、前記新しいランプに対する前記基準ランプであると決定され、前記後者のランプのオレンジ光を生成するための設定は、当該組み込みの後にオレンジ光を直ちに生成するように前記新しいランプへ複製される。従って、ユーザは、前記照明システム内に組み込まれる前記新しいランプに関する賢明なデフォルトの振る舞いを見ることができる。
【００２８】
前記基準ランプを決定するための第２の方法は、図４に示されＳ１３によって示されている。第１のサブステップＳ１３１において、当該照明システムから接続を外されたランプが決定される。前記接続を外されたランプは、例えば、取り除かれたランプ又は壊れたランプであり得る。前記ランプの接続を外すと、この設定及びコンフィギュレーションパラメータを含む照明機能は、前記照明システム内の識別子と共に接続を外されたランプのための記憶装置内に記憶された。前記照明機能は、ランプの接続を外す前、例えば、接続を外されたランプに関する前記記憶装置内の前記ランプの寿命の間のどこかにおいて、記憶されることもでき、前記ランプが接続を外された場合、フラグが、どのランプが本当に接続を外されているのか明らかであるように、前記記憶装置内に設定されることができる。次いで、第２の方法による基準ランプを決定する過程が、詳細に説明される。例えば、緑光を与えると共に照明システム内の識別子３を有するランプが、例えば、これを前記照明システムから分離する又はオフに切り替えることによって、接続を外される場合、緑光を与えるための設定及び識別子３は、接続を外されたランプの記憶装置内に記憶される。サブステップＳ１３１において、ランプを決定するための幾つかの戦略が、利用されることができる。例えば、最後に接続を外された前記ランプが、決定されることができる。更に、前記記憶装置内に記憶されている接続を外された全てのランプのうち新しいランプの照明機能に最も類似している照明機能を有するランプが、接続を外されたランプ間で検索されることができる。次のサブステップＳ１３２において、決定された接続を外されたランプの照明機能が、決定される。例えば、識別子３を備える接続を外されたランプが、サブステップ１３１において決定された場合、緑色光を与える設定は、接続を外されたランプの前記記憶装置からロードされることができる。代替的には、前記新しいランプに最良に整合する前記接続を外されたランプの照明機能が、決定されることができる。
【００２９】
ここで、図１に戻り、この過程は、ステップＳ１４によって続き、このステップにおいて、決定される前記基準ランプの機能は、前記新しいランプを前記照明システム内に完全に組み込むために前記新しいランプに複製される。前記機能は、例えば、前記照明システムのワイヤレスリモコンによって制御されるワイヤレス通信接続を介して前記新しいランプに送信されることができる。
【００３０】
図５は、ＬｉｖｉｎｇＣｏｌｏｒｓ（登録商標）ランプの遠隔制御のような、ワイヤレスリモコンによる照明システム内への新しいランプの組み込みの過程を示している。組み込まれるべき前記新しいランプは、符号１４によって示されている。符号１０は、当該照明システムの既存のランプを示している。符号１２は、当該照明システムから接続を外されるランプを示している。このランプ１２の照明機能は、ランプ１２の接続が外されると、接続が外されたランプに関する記憶装置１６に記憶された。ここで、本発明によって実施される組み込みの過程は、以下の通りである。新しいランプ１４がオンに切り替えられた場合、前記新しいランプは、照明システムのワイヤレスリモコン１８によってワイヤレスで検出される（ステップＳ１０）。次いで、リモコン１８は、如何なるユーザ対話も伴うことなく当該組み込み過程を自動的に開始する。このことは、基準ランプとしてのランプ１０の決定と（ステップＳ１２）、ランプ１０の照明機能の新しいランプ１４への直接的な複製と（ステップＳ１４）によって実施される。代替的には、リモコン１８は、基準ランプとしての記憶装置１６から、接続を外されたランプ１２を決定することができ（ステップＳ１３）、この接続を外されたランプ１２の照明機能は、記憶装置１６から新しいランプ１４に複製される（ステップＳ１４）。
【００３１】
上述の通り、本発明は、特に、複合照明システムの２つの問題の解決を可能にする。
１．ユーザが新しいランプを前記照明システムに追加する場合、前記照明システムは、当該新しいランプをどのように使用するかを自動的に知る。
２．ユーザが（壊れた又は接続を外された）ランプを新しいランプと交換する場合、前記新しいランプは、古いランプが使用されていたのと同じ仕方において振舞う。例えば、古いランプが特定の雰囲気においてテーブルの下にオレンジ光を与えていた場合、前記ユーザは前記新しいランプが同じタスクを実施するのを望むであろう。このことは、接続がワイヤレスであるシステムにおいては、新しいランプが配されている場所を見つける（容易な）仕方が存在しないので特に困難であり、当該システムは、前記新しいランプが前記テーブルの下に置かれていることを知らない。
【００３２】
上述したように、本発明は、ユーザが、前記新しい光ユニットの当該照明システムへの接続性を確立するステップ（典型的には前記光ユニットに電力が供給されるとすぐに自動的に行われる）以外の如何なる付加的なステップも実施する必要がなく、両方の問題を解決する仕方を提案する。
【００３３】
問題１は、本発明によって解決されることができ、照明システム内に新しいランプを組み込むと、既に使用されているのと同じ仕様を備えている光ユニットが存在するか否かが当該システム内で調べられる。例えば、幾つかのＬｉｖｉｎｇＣｏｌｏｒｓ（登録商標）ランプから成る照明システムにおいて、当該システムに加えられる新しいＬｉｖｉｎｇＣｏｌｏｒｓ（登録商標）ランプが存在し得る。前記ＬｉｖｉｎｇＣｏｌｏｒｓ（登録商標）ランプは、当該照明システムによる何らかのアドレス又は識別子（例えば、識別子１）を有しているであろう。或る雰囲気におけるオレンジ光の生成のような、或る機能を有しているであろう。ここで、新しいＬｉｖｉｎｇＣｏｌｏｒｓ（登録商標）ランプは、当該システムに追加される。前記システムによって新しい識別子を与えられるであろう。これを、識別子２と呼ぶ。当該システムは、光ユニット２が光ユニット１と類似の機能を有することが分かり、従って、光ユニット１の機能（即ちオレンジ光の発生）を光ユニット２に複製する。勿論、異なる種類の新しいランプ（例えば、コールドホワイト及びウォームホワイト光を生成することができるランプ）がオンライン化されている場合、当該システムは、当該ランプをこれらの機能を備える既存の光ユニットに整合させようとし、例えば、類似の照明機能を有する既存の光ユニットを検索する。従って、前記新しいランプは、同じ仕様を備える古いランプが使用されていたのと正確に同じ仕方において使用される。このようにして、前記ユーザは、前記新しい光源のための賢明なデフォルトの振る舞いを見ることができる。
【００３４】
問題２に関して、当該システムは、前記機能が、例えば、オフライン化した最後の光ユニットによって実行された機能を記憶することもできる。オンライン化した第１の新しいランプは、オフライン化した最後のランプと正確に同じ仕方において、制御されることができる。例えば、ＬｉｖｉｎｇＣｏｌｏｒｓ（登録商標）ランプが、前記システムに追加されることもできる。ＬｉｖｉｎｇＣｏｌｏｒｓ（登録商標）ランプは、当該照明システムによる何らかのアドレス又は識別子を与えられるであろう。これを識別子１と呼ぶ。接続が外された場合、当該システムは、オフライン化された最後の光ユニットが識別子１を備えた光ユニットであったことを思い出す。当該システムは、光ユニット１が有していた機能も思い出す。ここで、新しい光ユニットが取り付けられる。前記新しい光ユニットは、識別子（例えば２）を得る。ここで、当該システムは、これが１であったかのように２を使用しようとする。このことは、当該システムが、１の機能（例えば、オレンジ光の生成）を調べ、前記機能を２に適用することを意味する。このようにして、前記ユーザのみが一度に１つのランプだけを交換する限り、光ユニットの交換における追加のコミッショニングステップは、必要とされない。このことは、前記ユーザが一度に多くの光源を交換するのを可能にするように増大されることができる。この点に関して、当該システムは、前記ランプがオフライン化し、キューｑ内に自身の機能を追加する順番を思い出すことができる。ランプがオンライン化するときはいつでも、ｑは、デキューされる。前記新しいランプは、この機能に整合される。このようにして、前記ユーザは、古いランプがオフライン化されたのと同じ順序において前記新しいランプをオンライン化する限り、同時に多くのランプを交換することができる（幾つかのユーザは、これを逆順にするのが良いと見出し得る。この場合、スタックが使用されることができる）。更に、当該システムは、オフライン化する各光ユニットの仕様を思い出すことができる。例えば、当該システムは、（テーブルの下でオレンジ色を生成している）ＬｉｖｉｎｇＣｏｌｏｒｓ（登録商標）ランプが、識別子１を有してオフライン化され、クールホワイト及びウォームホワイト光を生成することができる光が、識別子２を有してオフライン化されたことを思い出すことができる。クールホワイト及びウォームホワイト光を生成することができる新しいランプがオンライン化するときはいつでも、当該システムは、これらの仕様を、識別子２を有するように使用される前記ランプに整合させるであろう。色を生成することができる新しいランプがオンライン化するときはいつでも、当該システムは、これらの仕様を、識別子１を有するように使用される前記ランプに整合させる。
【００３５】
本発明は、例えば、家庭、店舗及びオフィス用途における照明システムにおいて複数の光源を備える如何なる照明システムにおいても利用されることができる。このことは、特に家庭環境におけるエンドユーザによる、光源及び照明コミッショニングの容易な設定に特に適している。
【００３６】
少なくとも、本発明の機能の一部は、ハードウェア又はソフトウェアによって実行されることができる。ソフトウェアの実施化の場合、単一又は複数の標準的なマイクロプロセッサ又はマイクロコントローラが、本発明を実施する単一又は複数のアルゴリズムを処理するのに使用されることができる。
【００３７】
「有する」なる語は、他の要素又はステップを排除するものではなく、単数形の構成要素は、複数のこのような構成要素を排除するものではないことに留意されたい。更に、添付請求項の如何なる符号も、本発明の範囲を制限するものとして解釈されてはならない。
【図１】
0005544372.tif 000002
【図２】
0005544372.tif 000003
【図３】
0005544372.tif 000004
【図４】
0005544372.tif 000005
【図５】
0005544372.tif 000006